(57)【特許請求の範囲】
【請求項１】
近赤外領域では分光が浮くという性質を有する、少なくとも染料系色素を含んだ２色性ゲストホスト液晶からなる調光素子により、固体撮像素子に入射する光量を調整する撮像装置において、
上記固体撮像素子に入射する光の光路内に、赤外光カットフィルタと、６３０±５０ｎｍ半値の赤外光カット機能を有する赤外光カットコート層とからなる除去手段を備え、上記固体撮像素子に入射する光の少なくとも近赤外領域を除去し、上記２色性ゲストホスト液晶により生じる近赤外領域の分光の浮きを抑えることを特徴とする撮像装置。
【請求項２】
請求項１において、
上記２色性ゲストホスト液晶の分光が浮くという近赤外領域は６３０ｎｍ〜７００ｎｍであり、上記赤外光カットコート層は６３０ｎｍ半値の赤外光カット機能を有することを特徴とする撮像装置。
【請求項３】
請求項１において、
上記除去手段は、上記固体撮像素子と上記調光素子との間に設けられていることを特徴とする撮像装置。
【発明の詳細な説明】
【０００１】
【発明の属する技術分野】
この発明は、撮像装置に関し、特に、固体撮像素子に入射する光の光量を電気調光素子により調整するようにした撮像装置に関する。
【０００２】
【従来の技術】
近年、ビデオカメラやデジタルスチルカメラなどの電子カメラの画像を高解像にするとともに、サイズを小型化する要求が高まっている。この要求に答えるべく、電子カメラの固体撮像素子として高密度ＣＣＤ（Charge Coupled Device（電荷結合素子））を搭載するとともに、電子カメラに搭載されるレンズを小型化するなどして、電子カメラの光学系を縮小化することが提案されている。
【０００３】
ところが、上述した提案のようにして、電子カメラの光学系を小型化すると、回折現象による画質劣化が益々顕著になってしまう。これは、光学系を縮小化することにより、開口部の開口面積が狭くなるためである。
【０００４】
また、従来の電子カメラにおいては、機械的なサイズの制約により小型化の限界に直面してしまう。これは、従来の電子カメラにおいては、固体撮像素子に入射する光量を調整するアイリスシステムとして、モーターにより複数の絞り羽を機械的に駆動し、開口部の開口面積を調整するアイリスシステム（以下、メカアイリスシステム）が用いられているためである。
【０００５】
したがって、上述した問題を解決するために、メカアイリスシステムに代えて、液晶やＥＣ（エレクトロクロミック）などの電気化学材料からなる電気調光素子を用いて、固体撮像素子に入射する光量を調整するアイリスシステム（以下、電気駆動アイリスシステムと称する）が提案されている（特開平７―２０５２９および特開平１１−３２６８９４参照）。
【０００６】
【発明が解決しようとする課題】
ところで、上述した電気駆動アイリスシステムを搭載した電子カメラでは、−２０℃〜８０℃という使用温度条件において、ホワイトバランス調整可能であることが要求されるが、従来の電気駆動アイリスシステムを搭載した電子カメラでは、この要求を満たすことが十分でなかった。
【０００７】
したがって、この発明の目的は、温度範囲−２０℃〜８０℃という使用温度条件において、電気駆動アイリスシステムを搭載した、ホワイトバランス調整可能な撮像装置を提供することにある。
【０００８】
【課題を解決するための手段】
以上の課題を解決するために、請求項１の発明は、近赤外領域では分光が浮くという性質を有する、少なくとも染料系色素を含んだ２色性ゲストホスト液晶からなる調光素子により、固体撮像素子に入射する光量を調整する撮像装置において、
固体撮像素子に入射する光の光路内に、赤外光カットフィルタと、６３０±５０ｎｍ半値の赤外光カット機能を有する赤外光カットコート層とからなる除去手段を備え、固体撮像素子に入射する光の少なくとも近赤外領域を除去し、２色性ゲストホスト液晶により生じる近赤外領域の分光の浮きを抑えることを特徴とする撮像装置に関する。
【０００９】
上述のように構成されたこの発明の撮像装置によれば、固体撮像素子に入射する光の光路内に、固体撮像素子に入射する光の少なくとも近赤外領域を除去する除去手段が備えられているため、−２０℃〜８０℃という使用環境温度において、固体撮像素子に入射する光の可視域帯の光強度を一定にすることができる。
【００１０】
【発明の実施の形態】
以下、この発明の一実施形態について説明する。本発明者は、従来技術が有する上述の課題を解決すべく、鋭意検討を行った。以下にその概要を説明する。
【００１１】
本発明者の知見によれば、電気駆動アイリスシステムを搭載したビデオカメラにおいて、−２０℃〜８０℃という使用温度条件で、ホワイトバランス調整を行うことができないのは、−２０℃〜８０℃という使用温度条件で、同じ物性値を示す電気化学材料が電気調光素子の材料として用いられていなかったためである。
【００１２】
また、本発明者の知見によれば、電気駆動アイリスシステムを搭載したビデオカメラにおいて、−２０℃〜８０℃という使用温度条件で、ホワイトバランス調整を行うことができないのは、液晶やＥＣなどの電気調光素子の材料全てを一括りにして、ホワイトバランス調整方法の検討を行っているためでもある（特開平６−１０５２１９および特開平６−１４８５９３参照）。すなわち、本発明者の知見によれば、電気調光素子に用いられている材料毎に物性が異なるのだから、全ての材料に対応可能なホワイトバランス調整方法を見出すことは困難であり、電気調光素子に用いられる材料毎にホワイトバランス調整方法を検討する必要がある。
【００１３】
そこで、まず、本発明者は、−２０℃〜８０℃という使用温度条件において同じ物性値を示す電気化学材料を見出すべく、液晶およびＥＣなどの電気化学材料に対して検討を行った。その結果、本発明者は、液晶に色素をブレンドした２色性ゲストホスト液晶（２色性ＧＨ（Guest Host）液晶）を、電気調光素子の電気化学材料として用いるのが好ましいことを想起するに至った。
【００１４】
次に、この２色性ＧＨ液晶を用いた電気調光素子を搭載したビデオカメラのホワイトバランス調整方法について鋭意検討を行った。これは、本発明者の知見によれば、２色性ＧＨ液晶からなる電気調光素子を搭載したビデオカメラのホワイトバランス調整方法は、未だ明らかにされていないためである。
【００１５】
本発明者の知見によれば、ビデオカメラのホワイトバランス調整をとるために、２色性ＧＨ液晶に求められるスペックは、４００ｎｍ〜７００ｎｍの可視域帯において分光が安定していることである。具体的には、４００ｎｍ〜７００ｎｍにおける各波長の分光が印加電圧によらず、±５％以内であることである。
【００１６】
そこで、本発明者は、２色性ＧＨ液晶の分光特性について実験により鋭意検討を行った。その結果、２色性ＧＨ液晶では、４００ｎｍ〜６３０ｎｍでは分光がほぼ一定であるのに対し、６３０ｎｍ〜７００ｎｍの近赤外領域では分光が浮くという性質を解明するに至った。また、この分光の浮きは、２色性ＧＨ液晶に印可する印可電圧を高めるほど激しくなるという性質を解明するに至った。
【００１７】
上述したような検討を重ねた結果、本発明者は、ビデオカメラに搭載された固体撮像素子に入射する光の近赤外領域（６３０ｎｍ〜７００ｎｍ）における分光の浮きを抑えれば、−２０℃〜８０℃という使用温度条件においてビデオカメラのホワイトバランスを調整できることを想起するに至った。
【００１８】
この発明は以上の検討に基づいて案出されたものである。以下に、この発明の一実施形態について図面を参照しながら説明する。
【００１９】
図１は、この発明の一実施形態によるビデオカメラの撮影光学系１の概略構成を示すブロック図である。このビデオカメラの撮影光学系１は、図１に示すように、レンズ第１群Ｌ１、レンズ第２群Ｌ２、レンズ第３群Ｌ３、レンズ第４群Ｌ４、固体撮像素子２、ローパスフィルタ３、フィルタ４、モータ５、アイリス羽根６および電気調光素子７などから構成される。
【００２０】
レンズ第１群Ｌ１およびレンズ第３群Ｌ３は、固定レンズである。レンズ第２群Ｌ２は、ズーム用レンズである。レンズ第４群は、フォーカス用レンズである。
【００２１】
固体撮像素子２は、入射された光を電気信号に変換し、図示を省略した信号処理部に供給する。この固体撮像素子２は、例えば、ＣＣＤなどである。
【００２２】
ローパスフィルタ３は、画素ピッチに近い縞模様の像などを撮影した場合に生じる偽信号（モワレ）を抑制するためのものであり、例えば、人工水晶から構成される。
【００２３】
フィルタ４は、固体撮像素子２に入射する光の赤外域をカットするとともに、近赤外域（６３０ｎｍ〜７００ｎｍ）の分光の浮きを抑え、可視域帯（４００ｎｍ〜７００ｎｍ）の光強度を一様にするためのものである。このフィルタ４は、赤外光カットフィルタ（以下、ＩＲカットフィルタ）４ａと、このＩＲカットフィルタ４ａ上にＩＲカットコートを積層させて形成されたＩＲカットコート層４ｂとから構成される。ここで、ＩＲカットコート層４ｂは、例えば、ＩＲカットフィルタ４ａの被写体側の面およびＩＲフィルタ４ａの固体撮像素子２側の面の少なくとも一方に形成され、この発明の一実施形態においてはＩＲカットフィルタ４ａの被写体側の面に形成される。
【００２４】
ＩＲカットフィルタ４ａは、図２に示すような透過率を有するフィルタである。このＩＲカットフィルタ４ａは、従来、メカアイリスシステムを搭載したビデオカメラに用いられているフィルタであり、このフィルタを搭載することにより、ＣＣＤなどの固体撮像素子２が赤外光を感知し、輝度再現性や色再現性などに大きな誤差を生じることを防ぐことができる。ここで、ＩＲカットフィルタ４ａの厚さは、０．８ｍｍ〜１．２ｍｍの範囲から選ばれる。
【００２５】
一方、ＩＲカットコート層４ｂは、赤外光カット機能（以下、ＩＲカット機能）を有するコート層である。このＩＲカットコート層４ｂは、６５０±１０ｎｍ半値、好適には６３０±５０ｎｍ半値のＩＲカット機能を有するＩＲカットコートを、所定層、この発明の一実施形態においては、１６層積層させることにより形成される。ここで、ＩＲカットコートの厚さは、数百Å、すなわち、０．１μｍ〜１μｍから選ばれる。
【００２６】
この発明の一実施形態においては、ＩＲカットコートをＩＲカットフィルタ４ａ上に積層させることにより、固体撮像素子２に入射する光の近赤外領域（６３０ｎｍ〜７００ｎｍ）の分光の浮きを抑える例について示すが、これ以外の手段により、固体撮像素子２に入射する光の近赤外領域（６３０ｎｍ〜７００ｎｍ）の分光の浮きを抑えるようにしてもかまわない。例えば、６５０±１０ｎｍ半値、好適には６３０±５０ｎｍ半値の赤外光カットフィルタなどを、上述したＩＲカットフィルタ４ａに貼り合わせることにより、固体撮像素子２に入射する光の近赤外領域（６３０ｎｍ〜７００ｎｍ）の分光の浮きを抑えるようにしてもかまわない。
【００２７】
また、この発明の一実施形態においては、ＩＲカットフィルタ４ａ上にＩＲカットコートを施す例について示すが、ＩＲカットコートを施す場所は、これに限られるものではない。例えば、電気調光素子７の被写体側の面、電気調光素子７の固体撮像素子２側の面、ローパスフィルタ３の被写体側の面、ローパスフィルタ３の固体撮像素子２側の面、ＩＲカットフィルタ４ａの被写体側の面、ＩＲカットフィルタ４ａの固体撮像素子２側の面、レンズ第１群Ｌ１の被写体側の面、レンズ第１群Ｌ１の固体撮像素子２側の面、レンズ第２群Ｌ２の被写体側の面、レンズ第２群Ｌ２の固体撮像素子２側の面、レンズ第３群Ｌ３の被写体側の面、レンズ第３群Ｌ３の固体撮像素子２側の面、レンズ第４群Ｌ４の被写体側の面およびレンズ第４群Ｌ４の固体撮像素子２側の面のうちの少なくとも一箇所に、ＩＲカットコートを施すようにしてもかまわない。
【００２８】
モータ５は、図示を省略した制御部から供給された制御信号に基づき、レンズ第４群Ｌ４を移動する。アイリス羽根６は、固体撮像素子２に入射する光量を調整するためのものであり、図示を省略したモータにより駆動される。
【００２９】
電気調光素子７は、固体撮像素子２に入射する光量を調整するためのものである。この電気調光素子７は、少なくとも染料系色素を含んだ液晶からなる電気調光素子であり、この発明の一実施形態においては、２色性ＧＨ液晶からなる電気調光素子である。
【００３０】
図３は、電気調光素子７の材料として用いられている２色性ＧＨ液晶の分光特性を示すグラフである。なお、図３に示した分光特性は、５４０ｎｍにおいて規格化されている。２色性ＧＨ液晶の分光は、図３に示すように、４００ｎｍ〜６３０ｎｍ領域では、分光がほぼ一定であるのに対し、６３０ｎｍ〜７００ｎｍの近赤外領域では、分光が浮く。また、この分光の浮きは、２色性ＧＨ液晶に印可する印可電圧を高めるほど激しくなる。上述したフィルタ４を、ビデオカメラに搭載することにより、固体撮像素子２に入射する光の近赤外領域（６３０ｎｍ〜７００ｎｍ）における分光の浮きを抑え、可視域帯（４００ｎｍ〜７００ｎｍ）の光強度をほぼ一様にすることができる。すなわち、フィルタ４をビデオカメラに搭載することにより、電気調光素子７を搭載したビデオカメラのホワイトバランス調整を行うことができる。
【００３１】
本発明者は、上述した構成を有するビデオカメラのホワイトバランス調整の評価を、ベクトルスコープ（Vector Scope）を用いて行った。具体的には、０ｖ、±２．３ｖ、±３ｖ、±５ｖの矩形波を電気調光素子７に印可し、それぞれの印可電圧に対するベクトルスコープ画面を観測することにより、ホワイトバランス調整の評価を行った。なお、ベクトルスコープ画面を観測している際のビデオカメラの撮影対象は、全白モニタである。
【００３２】
図４は、ベクトルスコープ画面の一例である。ここで、図４を用いて、この発明の一実施形態における、ベクトルスコープを用いたホワイトバランス調整の評価方法について説明する。画面中心に位置するのが、ホワイトバランス点である。このホワイトバランス点が、上述した各印可電圧において、ベクトルスコープ画面の中心近傍に位置していれば、０ｖ〜±５ｖの範囲内で印可電圧によらず、固体撮像素子２に入射する光の可視域帯（４００ｎｍ〜７００ｎｍ）の分光が安定していることを示す。すなわち、０ｖ〜±５ｖの範囲内で印可電圧によらず、ビデオカメラのホワイトバランスがとれていることを示す。一方、このホワイトバランス点が、上述した各印可電圧において、ベクトルスコープ画面の中心近傍に位置していない場合には、印可電圧０ｖ〜±５ｖの範囲内で、固体撮像素子２に入射する光の可視域帯（４００ｎｍ〜７００ｎｍ）の分光が安定していないことを示す。すなわち、印可電圧０ｖ〜±５ｖの範囲内で、ビデオカメラのホワイトバランスがとれていないことを示す。
【００３３】
また、各印可電圧において、ベクトルスコープ画面の中心点からホワイトバランス点までの距離を測定することにより、０ｖ〜±５ｖの範囲内で印可電圧によらず、固体撮像素子２に入射する光の可視域帯（４００ｎｍ〜７００ｎｍ）の分光が安定しているか否かを定量的に評価することができる。すなわち、ビデオカメラのホワイトバランスがとれているか否かを定量的に評価できる。本発明者の知見によれば、この発明の一実施形態によるビデオカメラでは、中心点からホワイトバランス点までの距離が、１ｍｍ以内であれば、可視域帯（４００ｎｍ〜７００ｎｍ）で各波長の分光は、±５％以内である。なお、本実験に用いたベクトルスコープでは、中心点から最外点までの長さ（バースト長と称する）は、３８ｍｍである。
【００３４】
以下に、ビデオカメラの電気調光素子７に、０ｖ、±２．３ｖ、±３ｖ、±５ｖの矩形波を印可した場合のベクトルスコープ画面を、それぞれ、図５Ａ、５Ｂ、５Ｃ、５Ｄに示す。
【００３５】
図５Ａは、ビデオカメラの電気調光素子７に、０ｖの矩形波を印可した場合のベクトルスコープ画面を示す。ホワイトバランス点は、ベクトルスコープ画面のほぼ中央に、具体的には中心点から１ｍｍ以内に位置している。したがって、ビデオカメラの電気調光素子７に、０ｖの矩形波を印可した場合に、固体撮像素子２に入射する光の可視域帯（４００ｎｍ〜７００ｎｍ）を、安定させることができる。すなわち、ビデオカメラの電気調光素子７に、０ｖの矩形波を印可した場合に、ビデオカメラのホワイトバランスをとることができる。
【００３６】
図５Ｂは、ビデオカメラの電気調光素子７に、±２．３ｖの矩形波を印可した場合のベクトルスコープ画面を示す。ホワイトバランス点は、ベクトルスコープ画面のほぼ中央に、具体的には中心点から１ｍｍ以内に位置している。したがって、ビデオカメラの電気調光素子７に、±２．３ｖの矩形波を印可した場合に、固体撮像素子２に入射する光の可視域帯（４００ｎｍ〜７００ｎｍ）を、安定させることができる。すなわち、ビデオカメラの電気調光素子７に、±２．３ｖの矩形波を印可した場合に、ビデオカメラのホワイトバランスをとることができる。
【００３７】
図５Ｃは、ビデオカメラの電気調光素子７に、±３ｖの矩形波を印可した場合のベクトルスコープ画面を示す。ホワイトバランス点は、ベクトルスコープ画面のほぼ中央に、具体的には中心点から１ｍｍ以内に位置している。したがって、ビデオカメラの電気調光素子７に、±３ｖの矩形波を印可した場合に、固体撮像素子２に入射する光の可視域帯（４００ｎｍ〜７００ｎｍ）を、安定させることができる。すなわち、ビデオカメラの電気調光素子７に、±３ｖの矩形波を印可した場合に、ビデオカメラのホワイトバランスをとることができる。
【００３８】
図５Ｄは、ビデオカメラの電気調光素子７に、±５ｖの矩形波を印可した場合のベクトルスコープ画面を示す。ホワイトバランス点は、ベクトルスコープ画面のほぼ中央に、具体的には中心点から１ｍｍ以内に位置している。したがって、ビデオカメラの電気調光素子７に、±５ｖの矩形波を印可した場合に、固体撮像素子２に入射する光の可視域帯（４００ｎｍ〜７００ｎｍ）を、安定させることができる。すなわち、ビデオカメラの電気調光素子７に、±５ｖの矩形波を印可した場合に、ビデオカメラのホワイトバランスをとることができる。
【００３９】
上述したように、０ｖ〜±５ｖの範囲において、固体撮像素子２に入射する光の可視域帯（４００ｎｍ〜７００ｎｍ）を、安定させることができる。具体的には、０ｖ〜±５ｖの範囲において、各波長の分光を、印可電圧によらず、±５％以内にすることができる。すなわち、０ｖ〜±５ｖの範囲において、印可電圧によらず、ビデオカメラのホワイトバランスをとることができる。
【００４０】
以上説明したように、この発明の一実施形態によれば、固体撮像素子２に入射する光の光路内に、ＩＲカットフィルタ４ａと、このＩＲカットフィルタ４ａ上にＩＲカットコートを積層させて形成されたＩＲカットコート層４ｂとからなるフィルタ４が備えられているため、４００ｎｍ〜７００ｎｍの可視域帯において分光を安定させることができる。具体的には、４００ｎｍ〜７００ｎｍの可視域帯における各波長の分光を、０ｖ〜±５ｖの範囲において、電気調光素子７の印可電圧によらず、±５％以内に抑えることができる。よって、０ｖ〜±５ｖの範囲において、印可電圧によらず、ビデオカメラのホワイトバランスをとることができる。
【００４１】
次に、この発明の他の実施形態について示す。上述したこの発明の一実施形態においては、ＩＲカットフィルタ４ａ上にＩＲカットコートを積層する例について示したが、この発明の他の実施形態においては、ＩＲカットフィルタ４ａを除去し、ＩＲカットコートをローパスフィルタ３上に積層する。具体的には、６５０±１０ｎｍ半値、好適には６３０±５０ｎｍ半値の赤外光カット機能を有するＩＲカットコートを、所定層、この発明の他の実施形態においては、４８層から５２層、ローパスフィルタ４上に積層する。ここで、ＩＲカットコートは、例えば、ローパスフィルタ３の被写体側の面およびローパスフィルタ３の固体撮像素子２側の面の少なくとも一方に形成され、この発明の他の実施形態においてはローパスフィルタ３の被写体側の面に形成される。
【００４２】
この発明の他の実施形態においては、ＩＲカットコートをローパスフィルタ３に施すことにより、固体撮像装置２に入射する光の近赤外領域を抑える例について示すが、これ以外の手段により、固体撮像素子２に入射する光の近赤外領域（６３０ｎｍ〜７００ｎｍ）の分光の浮きを抑えるようにしてもかまわない。例えば、６５０±１０ｎｍ半値、好適には６３０±５０ｎｍ半値の赤外光カットフィルタを、上述したローパスフィルタに貼り合わせることにより、固体撮像素子２に入射する光の近赤外領域（６３０ｎｍ〜７００ｎｍ）の分光の浮きを抑えるようにしてもかまわない。
【００４３】
また、この発明の他の実施形態においては、ＩＲカットコートをローパスフィルタ３に施す例について示すが、ＩＲカットコートを施す場所は、これに限られるものではない。例えば、電気調光素子７の被写体側の面、電気調光素子７の固体撮像素子２側の面、ローパスフィルタ３の被写体側の面、ローパスフィルタ３の固体撮像素子２側の面、レンズ第１群Ｌ１の被写体側の面、レンズ第１群Ｌ１の固体撮像素子２側の面、レンズ第２群Ｌ２の被写体側の面、レンズ第２群Ｌ２の固体撮像素子２側の面、レンズ第３群Ｌ３の被写体側の面、レンズ第３群Ｌ３の固体撮像素子２側の面、レンズ第４群Ｌ４の被写体側の面およびレンズ第４群Ｌ４の固体撮像素子２側の面のうちの少なくとも一箇所に、ＩＲカットコートを施すようにしてもかまわない。
【００４４】
これ以外のビデオカメラの構成は、上述した一実施形態と略同様であるので、ここでは説明を省略する。
【００４５】
この発明の他の実施形態においても、上述したこの発明の一実施形態と同様の利点を得ることができる。
【００４６】
以上、この発明の実施形態について具体的に説明したが、この発明は、上述の実施形態に限定されるものではなく、この発明の技術的思想に基づく各種の変形が可能である。
【００４７】
例えば、上述した一実施形態において、ビデオカメラにおける赤感度が落ちる場合には、フィルタ４の厚さ、具体的には、ＩＲカットフィルタ４ａあるいはＩＲカットコート層４ｂの厚さを薄くするようにしてもかまわない。
【００４８】
また、上述した他の実施形態において、ビデオカメラにおける赤感度が落ちる場合には、ＩＲカットコート層の厚さを薄くするようにしてもかまわない。
【００４９】
【発明の効果】
以上説明したように、この発明によれば、固体撮像素子に入射する光量を、少なくとも染料系色素を含んだ液晶からなる電気調光素子により調整する撮像装置において、−２０℃〜８０℃という使用温度条件で、固体撮像素子に入射する光の可視域帯の光強度を一定にすることができる。よって、−２０℃〜８０℃という使用温度条件において、ホワイトバランスの調整を行うことができる。
【図面の簡単な説明】
【図１】この発明の一実施形態におけるビデオカメラの撮影光学系の概略構成を示すブロック図である。
【図２】この発明の一実施形態におけるＩＲカットフィルタの透過率を示すグラフである。
【図３】この発明の他の実施形態によるビデオカメラの電気調光素子材料として用いられる２色性ＧＨ液晶の分光特性を示すグラフである。
【図４】この発明の一実施形態によるビデをカメラのホワイトバランス調整評価を説明するためのベクトルスコープ画面の一例である。
【図５】この発明の一実施形態によるビデオカメラの電気調光素子に、所定電圧を印可した場合のベクトルスコープ画面を示す。
【符号の説明】
Ｌ１・・・レンズ第１群、Ｌ２・・・レンズ第２群、Ｌ３・・・レンズ第３群、Ｌ４・・・レンズ第４群、２・・・固体撮像素子、３・・・ローパスフィルタ、４・・・フィルタ、５・・・モータ、６・・・アイリス羽根、７・・・電気調光素子
【図１】
0003918500.tif 000002
【図２】
0003918500.tif 000003
【図３】
0003918500.tif 000004
【図４】
0003918500.tif 000005
【図５】
0003918500.tif 000006